(57)【要約】  画像表示装置（１００）が、表示画像の画像データに基づいて画像信号を生成する画像処理回路（１０２）と、表示画像の階調が高い場合に、表示画像の発光面積が小さくなるように画像データを生成し、表示画像の階調が低い場合に、表示画像の発光面積が大きくなるように画像データを生成する演算回路（１０４）と、画像信号に基づいて表示画像を表示する画像表示部（１０１）と、表示画像の発光量に応じた測定データを出力する光学センサー（１０３）と、光学センサー（１０３）から取得した測定データを用いて発光量を調整する演算回路（１０４）と、備える。
2011007447.tif 000002
【特許請求の範囲】
【請求項１】
表示画像の画像データに基づいて画像信号を生成する画像処理回路と、
前記表示画像の階調が高い場合に、前記表示画像の発光面積が小さくなるように前記画像データを生成し、前記表示画像の階調が低い場合に、前記表示画像の発光面積が大きくなるように前記画像データを生成する画像データ生成部と、
前記画像信号に基づいて表示画像を表示する画像表示部と、
前記表示画像の発光量に応じた測定データを出力する光学センサーと、
前記光学センサーから取得した前記測定データを用いて発光量を調整する発光量調整部と、
を備えることを特徴とする画像表示装置。
【請求項２】
表示画像の画像データに基づいて画像信号を生成する画像処理回路と、
前記表示画像の階調が高い場合に、前記表示画像の発光時間が短くなるように前記画像データを生成し、前記表示画像の階調が低い場合に、前記表示画像の発光時間が長くなるように前記画像データを生成する画像データ生成部と、
前記画像信号に基づいて表示画像を表示する画像表示部と、
前記表示画像の発光量に応じた測定データを出力する光学センサーと、
前記光学センサーから取得した前記測定データを用いて発光量を調整する発光量調整部と、
を備えることを特徴とする画像表示装置。
【請求項３】
画像表示装置における画像表示方法であって、
画像処理回路が表示画像の画像データに基づいて画像信号を生成するステップと、
画像データ生成部が、前記表示画像の階調が高い場合に、前記表示画像の発光面積が小さくなるように前記画像データを生成し、前記表示画像の階調が低い場合に、前記表示画像の発光面積が大きくなるように前記画像データを生成するステップと、
画像表示部が前記画像信号に基づいて表示画像を表示するステップと、
光学センサーが前記表示画像の発光量に応じた測定データを出力するステップと、
発光量調整部が前記光学センサーから取得した前記測定データを用いて発光量を調整するステップと、
を含むことを特徴とする画像表示方法。
【請求項４】
画像表示装置における画像表示方法であって、
画像処理回路が表示画像の画像データに基づいて画像信号を生成するステップと、
画像データ生成部が、前記表示画像の階調が高い場合に、前記表示画像の発光時間が短くなるように前記画像データを生成し、前記表示画像の階調が低い場合に、前記表示画像の発光時間が長くなるように前記画像データを生成するステップと、
画像表示部が前記画像信号に基づいて表示画像を表示するステップと、
光学センサーが前記表示画像の発光量に応じた測定データを出力するステップと、
発光量調整部が前記光学センサーから取得した前記測定データを用いて発光量を調整するステップと、
を含むことを特徴とする画像表示方法。
【発明の詳細な説明】
【技術分野】
【０００１】
本発明は、表示デバイスにその発光量を調整するための調整用画像を表示する画像表示装置及び画像表示方法に関する。
【背景技術】
【０００２】
画像表示装置の調整工程において、画像表示装置は、画像表示装置の表示デバイスに取り付けられた光学センサーを用いて、その表示デバイスに表示された調整用画像の発光量を測定し、その測定値に基づいて発光量を調整することが行われている。【０００３】
近年、画像表示装置は、明るい画像から暗い画像まで、発光量の広い範囲を細かい階調で表示することが可能になった。一方、光学センサーは、画像表示装置が表示可能な発光量の範囲よりも、狭い範囲の発光量しか精度よく測定することができない。【０００４】
このため、画像表示装置は、発光量の測定範囲をその発光量に応じて分け、分けられた測定範囲ごとに光学センサーのゲインを変更することで、調整用画像の発光量を測定していた（特許文献１参照）。また、光学センサーのゲインを変更するめに、画像表示装置は複数の電気抵抗器を備え、それらの定数を切替回路によって切り替えることで、ゲインを変更していた。
【先行技術文献】
【特許文献】
【０００５】
【特許文献１】特開２００５−１８１８３１号公報
【発明の概要】
【発明が解決しようとする課題】
【０００６】
しかしながら、ゲインを変更するための複数の電気抵抗器は、製造ばらつきによってその定数がばらついていることが多い。【０００７】
このため、電気抵抗器の定数が精度よく調整されていなかった場合に、例えば、隣り合う測定範囲の境界の発光量を測定したにも関わらず、その隣り合う測定範囲で互いに異なる測定値が光学センサーから出力されてしまうという問題があった。さらに、調整用画像の発光量が、本当に光学センサーの最適な測定範囲にあるか否かを確認することができないという問題もあった。【０００８】
したがって、画像表示装置に用いられる光学センサーは、発光量の測定範囲が部品として厳しく管理されるため、その部品コストが高いという問題があった。また、測定範囲ごとに光学センサーのゲインを変更するため、切替回路の制御が煩雑となり、その制御ファームウェアの開発工数が増大してしまうという問題もあった。【０００９】
本発明は、前記の諸点に鑑みてなされたものであり、光学センサーのゲインを変更しなくても、表示された画像の発光量を精度よく測定することができる画像表示装置を提供することを目的とする。
【課題を解決するための手段】
【００１０】
本発明の画像表示装置の第一の態様は、表示画像の画像データに基づいて画像信号を生成する画像処理回路と、前記表示画像の階調が高い場合に、前記表示画像の発光面積が小さくなるように前記画像データを生成し、前記表示画像の階調が低い場合に、前記表示画像の発光面積が大きくなるように前記画像データを生成する画像データ生成部と、前記画像信号に基づいて表示画像を表示する画像表示部と、前記表示画像の発光量に応じた測定データを出力する光学センサーと、前記光学センサーから取得した前記測定データを用いて発光量を調整する発光量調整部と、を備えることを特徴とする画像表示装置である。【００１１】
本発明の画像表示装置の第一の態様は、表示画像の画像データに基づいて画像信号を生成する画像処理回路と、前記表示画像の階調が高い場合に、前記表示画像の発光時間が短くなるように前記画像データを生成し、前記表示画像の階調が低い場合に、前記表示画像の発光時間が長くなるように前記画像データを生成する画像データ生成部と、前記画像信号に基づいて表示画像を表示する画像表示部と、前記表示画像の発光量に応じた測定データを出力する光学センサーと、前記光学センサーから取得した前記測定データを用いて発光量を調整する発光量調整部と、を備えることを特徴とする画像表示装置である。【００１２】
本発明の画像表示装置の第一の態様は、表示画像の画像表示装置における画像表示方法であって、画像処理回路が画像データに基づいて画像信号を生成するステップと、画像データ生成部が、前記表示画像の階調が高い場合に、前記表示画像の発光面積が小さくなるように前記画像データを生成し、前記表示画像の階調が低い場合に、前記表示画像の発光面積が大きくなるように前記画像データを生成するステップと、画像表示部が前記画像信号に基づいて表示画像を表示するステップと、光学センサーが前記表示画像の発光量に応じた測定データを出力するステップと、発光量調整部が前記光学センサーから取得した前記測定データを用いて発光量を調整するステップと、を含むことを特徴とする画像表示方法である。【００１３】
本発明の画像表示装置の第一の態様は、画像表示装置における画像表示方法であって、画像処理回路が表示画像の画像データに基づいて画像信号を生成するステップと、画像データ生成部が、前記表示画像の階調が高い場合に、前記表示画像の発光時間が短くなるように前記画像データを生成し、前記表示画像の階調が低い場合に、前記表示画像の発光時間が長くなるように前記画像データを生成するステップと、画像表示部が前記画像信号に基づいて表示画像を表示するステップと、光学センサーが前記表示画像の発光量に応じた測定データを出力するステップと、発光量調整部が前記光学センサーから取得した前記測定データを用いて発光量を調整するステップと、を含むことを特徴とする画像表示方法である。
【発明の効果】
【００１４】
本発明によれば、画像表示装置が、表示された画像の発光量に応じて、その発光面積又は発光時間を制御する。これにより、光学センサーの受光量が適正範囲に収まるため、光学センサーのゲインを変更しなくても、画像表示装置の光学センサーは、表示された画像の発光量を精度よく測定することができる。
【図面の簡単な説明】
【００１５】
【図１】本発明の第１の実施形態における画像表示装置の構成を示すブロック図である。
【図２】本発明の第１の実施形態における画像表示装置１０１の表示デバイス２０１に表示される表示画像の例を示す図である。
【図３】本発明の第１の実施形態における画像表示装置１０１の表示デバイス２０１に表示される表示画像の例を示す図である。
【図４】本発明の第１の実施形態における画像表示装置１０１の表示デバイス２０１に表示される表示画像の例を示す図である。
【図５】本発明の第２の実施形態における表示画像（調整用画像）の発光量と発光時間を示す図である。
【発明を実施するための形態】
【００１６】
[第１の実施形態]
本発明を実施するための第１の実施形態について説明する。図１は、本発明の第１の実施形態における画像表示装置の構成を示すブロック図である。画像表示装置１００は、画像表示部１０１と、画像処理回路１０２と、光学センサー１０３と、演算回路１０４と、記憶回路１０５を備える。
【００１７】
記憶回路１０５は、画像表示装置１０１の表示デバイス２０１（図２〜４）に表示される表示画像（調整用画像）の階調データと、表示画像のうち階調データに応じて発光する画素の数を示すデータと、表示画像の全画素数を示すデータと、表示画像の表示位置データを記憶する。
【００１８】
図２〜４は、本発明の第１の実施形態における画像表示装置１０１の表示デバイス２０１に表示される表示画像の例を示す図である。ここで、図２〜４に示す１つの格子は、表示デバイス２０１の１画素を示す。以下、表示画像２１０の全画素数を示すデータを、一例として値「３６」として説明する。
【００１９】
階調データは、表示デバイス２０１が有する画素の輝度を表すデータであり、その値が大きくなるにしたがって輝度が高くなる。また、輝度が高くなるほど、その画素の発光量は増えるものとする。以下、最も高い階調を値「２５５」とし、この場合に画素は、白色で表示されるものとする。また、最も低い階調を値「０」とし、この場合に画素は、黒色で表示されるものとする。
【００２０】
階調データに応じて発光する画素の数を示すデータは、階調データが大きいほど小さい値となるように設定される。なお、表示画像２１０の画素のうち階調データに応じて発光する画素２２０、２３０、２４０以外の画素は、黒色で表示されるものとする。
【００２１】
例えば、階調データが値「２５５」である場合、階調データに応じて発光する画素２２０の数を示すデータを、一例として値「１」とする。この場合、表示画像は、図２に示す図のように表示される。
【００２２】
また例えば、階調データが値「１９２」である場合、階調データに応じて発光する画素２３０の数を示すデータを、一例として値「４」とする。階調データが値「２５５」である場合よりもこの値を大きくするのは、階調データが値「２５５」よりも小さい代わりに、画素数を増やすことで発光量を増やすためである。この場合、表示画像は、図３に示す図のように表示される。
【００２３】
また例えば、階調データが値「１２８」である場合、階調データに応じて発光する画素２４０の数を示すデータを、一例として値「８」とする。階調データが値「１９２」である場合よりもこの値を大きくするのは、階調データが値「１９２」よりも小さい代わりに、画素数を増やすことで発光量を増やすためである。この場合、表示画像は、図４に示す図のように表示される。
【００２４】
表示位置データは、表示デバイス２０１の最も左上の画素を座標の原点として、表示画像を構成する画素のうち最も左上に位置する画素の座標（位置）と、階調データに応じて発光する画素のうち最も左上に位置する画素の座標（位置）を示すデータである。
【００２５】
例えば、図２において、表示画像２１０の最も左上の画素は、原点から紙面右向きに６画素、原点から紙面下向きに６画素の位置にあるため、座標（６，６）と表記される。同様に、階調データに応じて値「２５５」階調で発光する画素２２０は、原点から紙面右向きに８画素、原点から紙面下向きに８画素の位置にあるため、座標（８，８）と表記される。
【００２６】
例えば、図３において、表示画像２１０のうち最も左上に位置する画素は、座標（６，６）と表記される。同様に、階調データに応じて値「１９２」階調で発光する画素２３０は、座標（８，８）と表記される。
【００２７】
例えば、図４において、表示画像２１０のうち最も左上に位置する画素は、座標（６，６）と表記される。同様に、階調データに応じて値「１２８」階調で発光する画素２４０は、座標（７，８）と表記される。
【００２８】
演算回路１０４（図１）は、階調データと、表示画像のうち階調データに応じて発光する画素の数を示すデータと、表示画像の全画素数を示すデータと、表示画像の表示位置データを記憶回路１０５から取得し、これらを画像データとして画像処理回路１０２に出力する。
【００２９】
また、演算回路１０４には、発光量に応じた測定データが光学センサー１０３から入力される。演算回路１０４は、この測定データに基づいて、画素の発光量を調整する。
【００３０】
演算回路１０４は、値「２５５」階調（図２）について調整を行う場合、演算回路１０４は、表示画像２１０のうち階調データに応じて発光する画素の数を示すデータ値「１」と、表示画像２１０の全画素数を示すデータ値「３６」と、表示画像２１０の表示位置データ（座標（６，６），座標（８，８））を記憶回路１０５から取得し、これらを画像データとして画像処理回路１０２に出力する。
【００３１】
その結果、「１／３６ｐｉｘｅｌ，２５５／２５５階調」（図２）で表示画像が表示されているにも関わらず、測定データが値「２５５」階調における発光量よりも少ない測定データであった場合、演算回路１０４は、表示画像（画素）の発光量を増加させる。一方、測定データが値「２５５」階調における発光量よりも多い測定データであった場合、演算回路１０４は、表示画像（画素）の発光量を減少させる。演算回路１０４は、調整結果を記憶回路１０５に記憶させ、次回以降、調整結果を用いて補正した画像データを画像処理回路１０２に送信してもよい。
【００３２】
次に演算回路１０４は、値「１９２」階調（図３）について同様の調整を行ってもよい。さらに演算回路１０４は、値「１２８」階調（図４）について同様の調整を行ってもよい。
【００３３】
画像処理回路１０２は、演算回路１０４から画像データを取得し、これらに基づいて、表示画像（調整用画像）の画像信号を生成し、画像表示部１０１に出力する。
【００３４】
画像表示部１０１は、例えば液晶ディスプレイであって、表示デバイス２０１（図２、図３、図４）を備える。画像表示部１０１には、画像処理回路１０２から画像信号が入力される。画像表示部１０１は、この画像信号に基づいて、表示デバイス２０１に表示画像（調整用画像）を表示する。表示画像の表示例は、図２〜４に示す図となる。
【００３５】
光学センサー１０３は、画像表示部１０１の表示デバイス２０１に取り付けられる。光学センサー１０３は、表示デバイス２０１に表示された表示画像（調整用画像）発光量に応じた測定データを演算回路１０４に出力する。
【００３６】
このようにすれば、光学センサー１０３の受光量が適正範囲に収まるため、光学センサーのゲインを変更しなくても、画像表示装置の光学センサーは、表示画像の発光量を精度よく測定することができる。
【００３７】
[第２の実施形態]
本発明を実施するための第２の実施形態について説明する。第２の実施形態において、演算回路１０４は、表示画像（調整用画像）の全画素を発光させるよう画像データを生成する。ただし、演算回路１０４がその表示画像の発光時間を制御するよう画像データを生成する点が、第１の実施形態と異なる。以下、第１の実施形態との相違点についてのみ説明する。
【００３８】
図５は、本発明の第２の実施形態における表示画像（調整用画像）の発光量と発光時間を示す図である。縦軸は発光量を示す。また横軸は時刻を示す。以下、表示画像が値「２５５」階調における発光量で、且つ発光時間Ｔ１（時刻ｔ１−ｔ０）の期間に発光した場合の光学センサー１０３の受光量を、以下「基準受光量」と称する。ここで、図５の破線は、発光時間Ｔ３（時刻ｔ３−ｔ０）の期間に表示画像が発光した場合、光学センサー１０３の受光量が基準受光量と等しくなる階調を示す。
【００３９】
図５の下段に示すように、例えば、値「１２８」階調における発光量を測定する場合、発光時間をＴ２（時刻ｔ２−ｔ０）とすれば、光学センサー１０３の受光量は基準受光量と等しくなるものとする。まず時刻ｔ０において、演算回路１０４は表示画像の全画素を値「１２８」階調における発光量で発光させるよう画像データを生成し、画像データを画像処理回路１０２に出力する。
【００４０】
次に、時刻ｔ２において、演算回路１０４は表示画像の全画素を発光させない（値「０」階調における発光量となる）よう画像データを生成し、画像データを画像処理回路１０２に出力する。他の階調の発光量を測定する場合についても、同様である。
【００４１】
このようにすれば、光学センサー１０３の受光量が適正範囲に収まるため、光学センサーのゲインを変更しなくても、画像表示装置は表示画像の発光量を精度よく測定することができる。
【００４２】
以上、この発明の実施形態について図面を参照して詳述してきたが、具体的な構成はこの実施形態に限られるものではなく、この発明の要旨を逸脱しない範囲の設計等も含まれる。
【００４３】
例えば、光学センサーは画素の色を測定し、測定データとして色情報を出力してもよい。
【００４４】
本発明の画像データ生成部は、演算回路１０４に対応し、発光量調整部は、演算回路１０４に対応する。
【産業上の利用可能性】
【００４５】
上述した実施形態によれば、調整用画像を表示する画像表示装置及び画像表示方法に好適である。
【符号の説明】
【００４６】
１００…画像表示装置  １０１…画像表示部  １０２…画像処理装置  １０３…光学センサー  １０４…演算回路  １０５…記憶回路  ２０１…表示デバイス
【図１】
2011007447.tif 000003
【図２】
2011007447.tif 000004
【図３】
2011007447.tif 000005
【図４】
2011007447.tif 000006
【図５】
2011007447.tif 000007
【国際調査報告】
2011007447.tif 000008
2011007447.tif 000009